(57)【要約】  【課題】  鉄骨柱などの柱脚部材として用いられる鉛直リブ付きベースプレートを提供する。  【解決手段】  鉄骨柱などの柱脚部材として基礎部分のアンカーボルトに固定されるベースプレートと、同ベースプレートの上面に鉄骨柱などに外接する配置で立ち上がらせた複数の鉛直リブとで構成され、少なくともベースプレートが鋳鉄又は鋳鋼又は鍛鋼で製造されており、このベースプレート上に立てた鉄骨柱などは、外接する鉛直リブと溶接又はボルト接合される。【選択図】  図１
2006104780.tif 000002
【特許請求の範囲】
【請求項１】
鉄骨柱などの柱脚部材として基礎部分のアンカーボルトに固定されるベースプレートと、同ベースプレートの上面に鉄骨柱などに外接する配置で立ち上がらせた複数の鉛直リブとで構成され、少なくともベースプレートが鋳鉄又は鋳鋼又は鍛鋼で製造されており、このベースプレート上に立てた鉄骨柱などは、外接する鉛直リブと溶接又はボルト接合されることを特徴とする、鉛直リブ付きベースプレート。
【請求項２】
鉄骨柱などの柱脚部材として基礎部分のアンカーボルトに固定されるベースプレートと、同ベースプレートの上面に鉄骨柱などに内接する配置で立ち上がらせた複数の鉛直リブとで構成され、少なくともベースプレートが鋳鉄又は鋳鋼又は鍛鋼で製造されており、このベースプレート上に立てた鉄骨柱などは、内接する鉛直リブとボルト接合されることを特徴とする、鉛直リブ付きベースプレート。
【請求項３】
鉛直リブは鋳鉄又は鋳鋼でベースプレートと一体的に鋳造されていることを特徴とする、請求項１又は２に記載した鉛直リブ付きベースプレート。
【請求項４】
低降伏点鋼から成る鉛直リブが、ベースプレートに鋳込まれて一体化されていることを特徴とする、請求項１又は２に記載した鉛直リブ付きベースプレート。
【請求項５】
鋳造によって一体化されたベースプレートと鉛直リブとの接合部にＲ部が形成されていることを特徴とする、請求項３に記載した鉛直リブ付きベースプレート。
【請求項６】
ベースプレートの上面から立ち上がらせた受け部に鉛直リブが鋳込まれており、同受け部にＲ部が形成されていることを特徴とする、請求項４に記載した鉛直リブ付きベースプレート。
【請求項７】
鉄骨柱が角形鋼管の場合、鉛直リブは、平面的に見て鉄骨柱の内周又は外周の４側面に沿って配置されていることを特徴とする、請求項１〜６のいずれか一に記載した鉛直リブ付きベースプレート。
【請求項８】
鉄骨柱が円形鋼管の場合、鉛直リブは、平面的に見て鉄骨柱の内周又は外周の側面に沿って略等しい間隔で複数配置されていることを特徴とする、請求項１〜６のいずれか一に記載した鉛直リブ付きベースプレート。
【請求項９】
鉄骨柱がＨ形鋼又は十字形状に組み立てられたクロスＨ形鋼の場合、鉛直リブは、平面的に見て鉄骨柱のフランジ部分の外側面若しくは内側面に沿って配置されていることを特徴とする、請求項１〜６のいずれか一に記載した鉛直リブ付きベースプレート。
【請求項１０】
鉛直リブは、Ｈ形鋼又は十字形状に組み立てられたクロスＨ形鋼のウエブ部分に沿って配置されていることを特徴とする、請求項９に記載した鉛直リブ付きベースプレート。
【請求項１１】
鉛直リブに開先加工が施されていることを特徴とする、請求項１又は請求項３〜１０のいずれか一に記載した鉛直リブ付きベースプレート。
【請求項１２】
鉛直リブにボルト孔が形成されていることを特徴とする、請求項１〜１０のいずれか一に記載した鉛直リブ付きベースプレート。
【請求項１３】
鉛直リブのボルト孔にタップ加工が施されていることを特徴とする、請求項２〜１０又は請求項１２のいずれか一に記載した鉛直リブ付きベースプレート。
【請求項１４】
低降伏点鋼から成る鉛直リブが、ベースプレートの上面に形成した接合片に溶接され一体化されていることを特徴とする、請求項１又は２に記載した鉛直リブ付きベースプレート。
【発明の詳細な説明】
【技術分野】
【０００１】
この発明は、鉄骨柱又は鉄骨鉄筋コンクリート造柱又は鉄骨コンクリート造柱の柱脚部に用いられる柱脚部材であって、基礎部分のアンカーボルトに固定されるベースプレートと、同ベースプレートの上面に立ち上げられ、柱の下端部が接合される鉛直リブとで構成された鉛直リブ付きベースプレートの技術分野に属する。
【背景技術】
【０００２】
鉄骨柱などの柱脚部材として用いられる鉛直リブ付きベースプレートは、従来から種々公知であるが（例えば、特許文献１、２）、地震時の柱の傾動を如何にして許容し、柱脚部の損傷を防止するかが重要な課題であった。
【０００３】
そこで、本出願人は上記課題を解決するべく、鉛直リブ付きベースプレートを柱脚部材として用いた柱脚部構造を開発し、特許出願するに至っている（特許文献３）。
当該鉛直リブ付きベースプレートは、基礎部分のアンカーボルトに固定されるベースプレートと、同ベースプレートの上面に柱に外接する配置で立ち上がらせた低降伏点鋼から成る鉛直リブとで構成され、前記鉛直リブの下端部はベースプレートの上面に溶接接合されている。更に、前記ベースプレートの上面には、柱の下端部を囲むように鞘管を立ち上がらせ、柱の下端部のせん断ズレが防止されている。
【０００４】
【特許文献１】特開平５−２５５９７３号公報
【特許文献２】特開平６−１４６４０９号公報
【特許文献３】特開２００２−４４２２号公報
【発明の開示】
【発明が解決しようとする課題】
【０００５】
上記鉛直リブ付きベースプレートは、ベースプレート上に立てた柱を傾動可能とし、柱脚部の損傷を防止するだけでなく、前記柱の傾動を利用して鉛直リブに大きな変形を生じさせ、柱の回転エネルギーを吸収する、極めて合理的な構成とされており、高品質で安価に量産（製造）することができれば、地震時にも健全で制震効果に優れた柱脚部を市場に普及させることができる。
【０００６】
しかし、上記の鉛直リブ付きベースプレートは、鉛直リブの下端部がベースプレートの上面に溶接された構成であり、当該溶接部分は局部的な凸部となるので、柱が傾動した際に応力が集中する。そのため、溶接部分に応力が集中しないように高度な表面処理を施して凸部を削ったり、局部応力が作用する溶接部分に溶接欠陥が生じていないか確認するために、厳重な品質検査を実施する必要がある。そもそも溶接作業は量産化に不向きであるが、更に製造が煩雑となって生産性が低下し、コストが嵩む問題点がある。
【０００７】
地震時に柱の下端部に生じるせん断力は比較的小さく、鉛直リブのみで対応できるので、鞘管の分だけ過大設計となっており、コストが嵩む要因となっている。
【０００８】
本発明の目的は、鉛直リブを鋳鉄又は鋳鋼でベースプレートと一体的に鋳造し、又は低降伏点鋼から成る鉛直リブをベースプレートに鋳込んで一体化することで、ベースプレートと鉛直リブとの接合部に局部応力が作用しない構成とすることができ、溶接する場合に必要であった表面処理や、局部応力が作用する溶接部分の品質検査を省略することができ、生産性に優れ、安価に製造できる、鉛直リブ付きベースプレートを提供することである。
【０００９】
本発明の次の目的は、低降伏点鋼から成る鉛直リブの性状を殆ど変化させることなく製造できる、鉛直リブ付きベースプレートを提供することである。
【００１０】
本発明の更なる目的は、最適設計に基づいて鞘管を省略してシンプルな構成とし、やはり生産性に優れ、安価に製造できる、鉛直リブ付きベースプレートを提供することである。
【課題を解決するための手段】
【００１１】
上記従来技術の課題を解決するための手段として、請求項１に記載した発明に係る鉛直リブ付きベースプレートは、
鉄骨柱などの柱脚部材として基礎部分のアンカーボルトに固定されるベースプレートと、同ベースプレートの上面に鉄骨柱などに外接する配置で立ち上がらせた複数の鉛直リブとで構成され、少なくともベースプレートが鋳鉄又は鋳鋼又は鍛鋼で製造されており、このベースプレート上に立てた鉄骨柱などは、外接する鉛直リブと溶接又はボルト接合されることを特徴とする。
【００１２】
請求項２に記載した発明に係る鉛直リブ付きベースプレートは、
鉄骨柱などの柱脚部材として基礎部分のアンカーボルトに固定されるベースプレートと、同ベースプレートの上面に鉄骨柱などに内接する配置で立ち上がらせた複数の鉛直リブとで構成され、少なくともベースプレートが鋳鉄又は鋳鋼又は鍛鋼で製造されており、このベースプレート上に立てた鉄骨柱などは、内接する鉛直リブとボルト接合されることを特徴とする。
【００１３】
請求項３記載の発明は、請求項１又は２に記載した鉛直リブ付きベースプレートにおいて、
鉛直リブは鋳鉄又は鋳鋼でベースプレートと一体的に鋳造されていることを特徴とする。
【００１４】
請求項４記載の発明は、請求項１又は２に記載した鉛直リブ付きベースプレートにおいて、
低降伏点鋼から成る鉛直リブが、ベースプレートに鋳込まれて一体化されていることを特徴とする。
【００１５】
請求項５記載の発明は、請求項３に記載した鉛直リブ付きベースプレートにおいて、
鋳造によって一体化されたベースプレートと鉛直リブとの接合部にＲ部が形成されていることを特徴とする。
【００１６】
請求項６記載の発明は、請求項４に記載した鉛直リブ付きベースプレートにおいて、
ベースプレートの上面から立ち上がらせた受け部に鉛直リブが鋳込まれており、同受け部にＲ部が形成されていることを特徴とする。
【００１７】
請求項７記載の発明は、請求項１〜６のいずれか一に記載した鉛直リブ付きベースプレートにおいて、
鉄骨柱が角形鋼管の場合、鉛直リブは、平面的に見て鉄骨柱の内周又は外周の４側面に沿って配置されていることを特徴とする。
【００１８】
請求項８記載の発明は、請求項１〜６のいずれか一に記載した鉛直リブ付きベースプレートにおいて、
鉄骨柱が円形鋼管の場合、鉛直リブは、平面的に見て鉄骨柱の内周又は外周の側面に沿って略等しい間隔で複数配置されていることを特徴とする。
【００１９】
請求項９記載の発明は、請求項１〜６のいずれか一に記載した鉛直リブ付きベースプレートにおいて、
鉄骨柱がＨ形鋼又は十字形状に組み立てられたクロスＨ形鋼の場合、鉛直リブは、平面的に見て鉄骨柱のフランジ部分の外側面若しくは内側面に沿って配置されていることを特徴とする。
【００２０】
請求項１０記載の発明は、請求項９に記載した鉛直リブ付きベースプレートにおいて、
鉛直リブは、Ｈ形鋼又は十字形状に組み立てられたクロスＨ形鋼のウエブ部分に沿って配置されていることを特徴とする。
【００２１】
請求項１１記載の発明は、請求項１又は請求項３〜１０のいずれか一に記載した鉛直リブ付きベースプレートにおいて、
鉛直リブに開先加工が施されていることを特徴とする。
【００２２】
請求項１２記載の発明は、請求項１〜１０のいずれか一に記載した鉛直リブ付きベースプレートにおいて、
鉛直リブにボルト孔が形成されていることを特徴とする。
【００２３】
請求項１３記載の発明は、請求項２〜１０又は請求項１２のいずれか一に記載した鉛直リブ付きベースプレートにおいて、
鉛直リブのボルト孔にタップ加工が施されていることを特徴とする。
【００２４】
請求項１４記載の発明は、請求項１又は２に記載した鉛直リブ付きベースプレートにおいて、
低降伏点鋼から成る鉛直リブが、ベースプレートの上面に形成した接合片に溶接され一体化されていることを特徴とする。
【発明の効果】
【００２５】
本発明に係る鉛直リブ付きベースプレートは、少なくともベースプレートを鋳鉄又は鋳鋼又は鍛鋼で製造しており、特に、請求項３に記載した発明に係る鉛直リブ付きベースプレートは、鉛直リブを鋳鉄又は鋳鋼でベースプレートと一体的に鋳造するので、ベースプレートと鉛直リブとの接合部にＲ部を形成するなどして、柱の傾動時に局部応力が作用しない構成とすることが容易にできる。そのため、溶接する場合に必要であった表面処理や、局部応力が作用する溶接部分の品質検査を省略することができ、生産性に優れ、安価に製造できる。
【００２６】
また、請求項４に記載した発明に係る鉛直リブ付きベースプレートは、低降伏点鋼から成る鉛直リブをベースプレートに鋳込んで一体化するので、鉛直リブを鋳込んだベースプレートの受け部にＲ部を形成するなどして、柱の傾動時の局部応力が作用しない構成とすることが容易にできる。そのため、やはり溶接する場合に必要であった表面処理や、局部応力が作用する溶接部分の品質検査を省略することができ、生産性に優れ、安価に製造できる。しかも、鉛直リブに加えられる熱量が少なく、低降伏点鋼の性状を殆ど変化させることなく製造できる。
【００２７】
最適設計に基づいて鞘管を省略したのでシンプルな構成となり、生産性に優れ、安価に製造できる。
【発明を実施するための最良の形態】
【００２８】
鉄骨柱などの柱脚部材として基礎部分のアンカーボルトに固定されるベースプレートと、同ベースプレートの上面に鉄骨柱などに外接又は内接する配置で立ち上がらせた複数の鉛直リブとで構成され、少なくともベースプレートが鋳鉄又は鋳鋼又は鍛鋼で製造されており、このベースプレート上に立てた鉄骨柱などは、外接又は内接する鉛直リブと溶接等の手段で接合される。
【００２９】
鉛直リブは鋳鉄又は鋳鋼でベースプレートと一体的に鋳造され、ベースプレートと鉛直リブとの接合部にＲ部が形成される。又は低降伏点鋼から成る鉛直リブはベースプレートから立ち上がらせた受け部に鋳込まれて一体化され、同受け部にＲ部が形成される。
【実施例１】
【００３０】
請求項１及び請求項３並びに請求項５、７、１１に記載した発明に係る鉛直リブ付きベースプレートの実施例を、図１〜図４に基づいて説明する。
【００３１】
本実施例の鉛直リブ付きベースプレート１は角形鋼管から成る鉄骨柱２（以下、角形鋼管にも同一符号を付する。）の柱脚部材として用いられ、上記特許文献３の鉛直リブ付きベースプレートと略同様の構成である。具体的には、基礎部分３のアンカーボルト４に固定されるベースプレート５の上面に、４枚の鉛直リブ６…が、平面的に見て角形鋼管２の外周４側面に沿った配置（外接する配置）で立ち上げられた構成であるが、この鉛直リブ付きベースプレート１は鋳鉄又は鋳鋼で一体的に鋳造されており、ベースプレート５と鉛直リブ６との接合部には、角形鋼管２の傾動時に局部応力が作用しないようにＲ部７が形成されている（以上、請求項１及び請求項３並びに請求項５、７記載の発明）。ベースプレート５と鉛直リブ６とを鋳鉄又は鋳鋼で一体的に鋳造するので、ベースプレート５と鉛直リブ６との接合部にＲ部７を形成して局部応力が作用しない構成とすることが容易にでき、溶接する場合に必要であった表面加工や溶接部分の品質検査を省略することができる。しかも、最適設計に基づいて鞘管を省略したのでシンプルな構成となる。そのため、生産性に優れ、安価に製造することができる。
【００３２】
上記構成の鉛直リブ付きベースプレート１を柱脚部材として用いて、角形鋼管２の下端部を基礎部分３へ接合するには、鉛直リブ付きベースプレート１のベースプレート５を基礎部分３のアンカーボルト４に接合する。そして、前記鉛直リブ付きベースプレート１の４枚の鉛直リブ６…内方へ角形鋼管２の下端部を嵌め入れて立て、同４枚の鉛直リブ６…にそれぞれ角形鋼管２の側面を溶接して接合する。鉛直リブ６と角形鋼管２との溶接範囲は、基礎部分３へ接合された角形鋼管２が傾動可能となるように、鉛直リブ６の断面耐力が溶接部の耐力と略等しくなるように設定され、一例として図１では鉛直リブ６の外周縁のうち上半分を角形鋼管２と溶接している。その結果、地震時には、角形鋼管２を積極的に傾動させて、柱脚部の損傷を防止することができると共に、鉛直リブ６に大きな変形を生じさせ、角形鋼管２の回転エネルギーを吸収することができる、柱脚部を実現することができる。
【００３３】
ちなみに、図４に示すように前記鉛直リブ６に開先加工が施されていると、溶接部分の表面積を稼ぐことができる。そのため、溶接範囲を小さくすることができ、角形鋼管２との接合作業の簡略化を図ることができる（請求項１１記載の発明）。
【００３４】
本実施例の鉛直リブ付きベースプレート１は、鉛直リブ６に角形鋼管２が溶接接合されているが、ボルト接合されても良い。図示は省略するが、鉛直リブ付きベースプレート１の４枚の鉛直リブ６…内方へ角形鋼管２の下端部が嵌め入れられて、鉛直リブ６に形成されたボルト孔に、角形鋼管２のタップ加工を施したボルト孔が同心位置に配置され、前記同心となったボルト孔にボルトがネジ込まれて接合される（図示は省略、請求項１２及び請求項１３記載の発明）。現場サイトでの溶接作業を軽減することができ、簡易且つ迅速に、しかも天候に影響を受けずに鉛直リブ付きベースプレート１と角形鋼管２とを接合することができる。
【００３５】
本実施例は柱を角形鋼管から成る鉄骨柱２で構成したが、同角形鋼管を用いた鉄骨鉄筋コンクリート造柱又は鉄骨コンクリート造柱で構成しても同様に実施できる。
【実施例２】
【００３６】
上記実施例１の鉛直リブ付きベースプレート１は、ベースプレート５と鉛直リブ６が鋳鉄又は鋳鋼で一体的に鋳造された構成とされているが、鉛直リブ６が低降伏点鋼から成る場合は、以下のように製造された構成とされる。
【００３７】
ベースプレート５に鉛直リブ６を鋳込むことができるように形成された鋳型に、低降伏点鋼から成る鉛直リブ６がセットされ、鉄又は鋼が流し込まれベースプレート５が鋳造される。同時に、ベースプレート５の上面から立ち上がらせた（形成された）受け部５ａに鉛直リブ６が鋳込まれて一体化され、同受け部５ａには、角形鋼管２の傾動時に局部応力が作用しないようにＲ部７が形成される（図５を参照、請求項４、６記載の発明）。鉛直リブ６をベースプレート５に鋳込んで一体化するので、ベースプレート５の受け部５ａにＲ部７を形成して局部応力が作用しない構成とすることが容易にでき、溶接する場合に必要であった表面加工や溶接部分の品質検査を省略することができる。しかも、ベースプレート５と鉛直リブ６とを一体鋳造するのに比べて、鉛直リブ６に加えられる熱量が少なく、すなわち、鉛直リブ６に熱量が加えられる範囲は局部的（ベースプレート５に鋳込まれた部分）なので、低降伏点鋼の性状を殆ど変化させることなく製造できる。
【実施例３】
【００３８】
図６及び図７に示す鉛直リブ付きベースプレート８は、円形鋼管から成る鉄骨柱９（以下、円形鋼管にも同一符号を付する。）の柱脚部材として好適に用いることができる構成とされている。
【００３９】
具体的には、鉛直リブ付きベースプレート８は、３枚（但し、枚数は限定されない。）の鉛直リブ６‥が平面的に見て、円形鋼管９の外周側面に沿って略等しい間隔（図示例では略１２０°の間隔）で配置されている（請求項８記載の発明）。
【００４０】
本実施例は柱を円形鋼管から成る鉄骨柱９で構成したが、同円形鋼管を用いた鉄骨鉄筋コンクリート造柱又は鉄骨コンクリート造柱で構成しても同様に実施できる。
【実施例４】
【００４１】
上記実施例１〜３の鉛直リブ付きベースプレート１（８）は、鉛直リブ６が平面的に見て、角形鋼管２又は円形鋼管９の外周側面に沿って配置されているが、例えば図８及び図９に示すように、内周側面に沿って配置（内接するように配置）されていても良い（請求項２及び請求項７、８記載の発明）。この場合は、鉛直リブ６に角形鋼管２の側面を溶接することが困難なのでボルト接合する。すなわち、４枚の鉛直リブ６…の外方へ角形鋼管２が被せられて、鉛直リブ６のタップ加工を施したボルト孔６ａに、角形鋼管２に形成されたボルト孔２ａが同心位置に配置され、前記同心となったボルト孔６ａと２ａにボルト１０がネジ込まれて接合される（請求項１２及び請求項１３記載の発明）。
【実施例５】
【００４２】
図１０及び図１１に示す鉛直リブ付きベースプレート１１は、Ｈ形鋼から成る鉄骨柱１２（以下、Ｈ形鋼にも同一符号を付する。）の柱脚部材として好適に用いることができる構成とされている。
【００４３】
具体的には、鉛直リブ付きベースプレート１１の鉛直リブ６が平面的に見て、Ｈ形鋼１２のフランジ部分１２ａの外側面に沿って配置され、更にウエブ部分１２ｂに沿って配置されている（請求項９及び請求項１０記載の発明）。この鉛直リブ付きベースプレート１１はＨ形鋼１２がボルト接合される構成とされており、鉛直リブ６に形成されたボルト孔６ａに、Ｈ形鋼１２に形成されたボルト孔１２ｃが同心位置に配置され、同ボルト孔６ａと１２ｃとに通されたボルト１０にナット１３が締結される。
【実施例６】
【００４４】
図１２及び図１３に示す鉛直リブ付きベースプレート１４は、十字形状に組み立てられたクロスＨ形鋼から成る鉄骨柱１５（以下、クロスＨ形鋼にも同一符号を付する。）の柱脚部材として好適に用いることができる構成とされている。
【００４５】
具体的には、鉛直リブ付きベースプレート１４の鉛直リブ６が平面的に見て、クロスＨ形鋼１５のフランジ部分１５ａの外側面に沿って配置されている（請求項９記載の発明）。この鉛直リブ付きベースプレート１４もクロスＨ形鋼１５がボルト接合される構成とされており、鉛直リブ６に形成されたボルト孔６ａに、クロスＨ形鋼１５に形成されたボルト孔１５ｃが同心位置に配置され、同ボルト孔６ａと１５ｃとに通されたボルト１０にナット１３が締結される。
【００４６】
本実施例の鉛直リブ付きベースプレート１４は、鉛直リブ６がフランジ部分１５ａのみに配置されているが、上記実施例６と同様に、ウエブ部分１５ｂの両面にも配置され同ウエブ部分１５ｂが接合される構成とされていても良い（請求項１０記載の発明）。
【実施例７】
【００４７】
上記実施例６、７の鉛直リブ付きベースプレート１１、１４は、鉛直リブ６にＨ形鋼１２又はクロスＨ形鋼１５がボルト接合されているが、上記実施例１と略同様に溶接接合されても良い。
【実施例８】
【００４８】
なお、上記実施例１〜７の鉛直リブ付きベースプレート１（８、１１、１４）は、鉛直リブ６が鋳鉄又は鋳鋼でベースプレート５と一体的に鋳造され、又は低降伏点鋼から成る鉛直リブ６がベースプレート５に鋳込まれて一体化された構成とされているが、図１４に示すように、ベースプレート５の上面に形成した接合片５ｂに鉛直リブ６が溶接され一体化されても良い（請求項１４記載の発明）。
【実施例９】
【００４９】
以上に本発明の実施例を説明したが、本発明はこうした実施例に何ら限定されるものではなく、本発明の要旨を逸脱しない範囲において、種々の形態で実施し得る。
【図面の簡単な説明】
【００５０】
【図１】実施例１の鉛直リブ付きベースプレートを柱脚部材として用いて、柱の下端部を柱脚部に接合した状態を概念的に示した立面図である。
【図２】実施例１の鉛直リブ付きベースプレートを柱脚部材として用いて、柱の下端部を柱脚部に接合した状態を概念的に示した平面図である。
【図３】実施例１の鉛直リブ付きベースプレートを柱脚部材として用いて、柱の下端部を柱脚部に接合した状態を概念的に示した斜視図である。
【図４】開先加工が施された鉛直リブを示した平面図である。
【図５】実施例２の鉛直リブ付きベースプレートを概念的に示した正面図である。
【図６】実施例３の鉛直リブ付きベースプレートを柱脚部材として用いて、柱の下端部を柱脚部に接合した状態を概念的に示した立面図である。
【図７】実施例３の鉛直リブ付きベースプレートを柱脚部材として用いて、柱の下端部を柱脚部に接合した状態を概念的に示した平面図である。
【図８】実施例４の鉛直リブ付きベースプレートを柱脚部材として用いて、柱の下端部を柱脚部に接合した状態を概念的に示した立面図である。
【図９】実施例４の鉛直リブ付きベースプレートを柱脚部材として用いて、柱の下端部を柱脚部に接合した状態を概念的に示した平面図である。
【図１０】実施例５の鉛直リブ付きベースプレートに柱の下端部を接合した状態を概念的に示した縦断面図である。
【図１１】実施例５の鉛直リブ付きベースプレートに柱の下端部を接合した状態を概念的に示した水平断面図である。
【図１２】実施例６の鉛直リブ付きベースプレートに柱の下端部を接合した状態を概念的に示した縦断面図である。
【図１３】実施例６の鉛直リブ付きベースプレートに柱の下端部を接合した状態を概念的に示した水平断面図である。
【図１４】実施例８の鉛直リブ付きベースプレートを概念的に示した正面図である。
【符号の説明】
【００５１】
１      鉛直リブ付きベースプレート
２      鉄骨柱（角形鋼管）
３      柱脚部
４      アンカーボルト
５      ベースプレート
５ｂ    接合片
６      鉛直リブ
６ａ    ボルト孔
７      Ｒ部
８      鉛直リブ付きベースプレート
９      鉄骨柱（円形鋼管）
１１    鉛直リブ付きベースプレート
１２    鉄骨柱（Ｈ形鋼）
１２ａ  フランジ部分
１２ｂ  ウエブ部分
１２ｃ  ボルト孔
１４    鉛直リブ付きベースプレート
１５    鉄骨柱（クロスＨ形鋼）
１５ａ  フランジ部分
１５ｂ  ウエブ部分
【図１】
2006104780.tif 000003
【図２】
2006104780.tif 000004
【図３】
2006104780.tif 000005
【図４】
2006104780.tif 000006
【図５】
2006104780.tif 000007
【図６】
2006104780.tif 000008
【図７】
2006104780.tif 000009
【図８】
2006104780.tif 000010
【図９】
2006104780.tif 000011
【図１０】
2006104780.tif 000012
【図１１】
2006104780.tif 000013
【図１２】
2006104780.tif 000014
【図１３】
2006104780.tif 000015
【図１４】
2006104780.tif 000016